(57)【要約】【課題】  浸入検知区間で侵入者又は侵入物が侵入したことを検知する方法を提供する。【解決手段】  図３（Ａ）に示すように基幹支持具１０から一体的に立ち上げを形成する１対の立ち上げ支持具において、片方の立ち上げ支持具Ａ１１にファイバ６とレンズ７からなる光ファイバ平行変換器Ａ８を、他方の立ち上げ支持具Ｂ１２に光ファイバ平行変換器Ｂ９が設置され、該変換器Ａ８の光ビーム１の出光部と該変換器Ｂ９の受光部が光ビームを送受するように配置されていることを特徴とする光侵入検知モジュールを使用して、図３（Ｂ）に示すように該モジュールの光入力部１３と出力部１４が、発光器２と受光部３とそれぞれ光ファイバで接続されている。係る系において、発光器２をＯＮにしておき、該モジュールに侵入者が侵入した場合光ビーム１が遮断され、受光器から侵入検知の電気信号が出される事を特徴とする光侵入検知システムである。【選択図】図３
2006350727.tif 000002
【特許請求の範囲】
【請求項１】
基幹支持具から、一体的に立ち上げを形成する、少なくとも１対の立ち上げ支持具が、間隔をあけて備えられ、片方の立ち上げ支持具Ａに一個の光ファイバ平行変換器Ａが、他方の立ち上げ支持具Ｂに光ファイバ平行変換器Ｂが、一個設置され、光ファイバ平行変換器Ａの光ビーム出光部と光ファイバ平行変換器Ｂの受光部が、光ビームを送受するように配置されていることを特徴とする単ビーム型光侵入検知モジュール。
【請求項２】
基幹支持具から、一体的に立ち上げを形成する、少なくとも１対の立ち上げ支持具が、間隔をあけて備えられ、片方の立ち上げ支持具Ａに、ｋ（２以上の整数）個の光ファイバ平行変換器Ａが、他方の立ち上げ支持具Ｂにｋ個の光ファイバ平行変換器Ｂが、設置され、１番目からｋ番目までの光ファイバ平行変換器Ａの光ビーム出光部と対応する１番目からｋ番目まで光ファイバ平行変換器Ｂの受光部が、それぞれ光ビームを送受するように配置されていることを特徴とする多ビーム型光侵入検知モジュール。
【請求項３】
請求項１に記載した該光侵入検知モジュールの光ファイバ平行変換器Ａの光入力部と発光器が、光ファイバで接続されており、一方光ファイバ平行変換器Ｂの光出力部と受光器が、光ファイバで接続されており、係る系において、発光器をＯＮにしておき、光侵入検知モジュールの光ビーム内に侵入者が侵入した場合、光ビームは遮断され、受光器から侵入検知の電気信号が出力されることを特徴とする光侵入検知システム。
【請求項４】
請求項１に記載した光侵入検知モジュールが、ｍ（ｍは２以上の整数）台、各光侵入検知モジュールの光出力部と光入力部間が、それぞれ光ファイバで接続されており、始端の光侵入検知モジュールの光入力部に発光器が、終端の光侵入検知モジュールの光出力部に受光器が、それぞれ光ファイバで接続されており、係る系において、ｍ台の光侵入検知モジュール内のいずれかの光ビーム内に侵入者が侵入した場合、光ビームは遮断され、受光器から侵入検知の電気信号が出力されることを特徴とする光侵入検知システム。
【請求項５】
請求項２に記載され多ビーム型光侵入モジュールで、ｋが３以上の奇数であり、該モジュールのｋ個の光平行変換器Ａの光入力部うちの一光入力部を、光侵入検知モジュールの光入力部とすると、該光入力部を除く（ｋ−１）個の光入力部の２個ずつが、光ファイバで接続されており、一方該光入力部の光平行変換器Ａからの光ビームを受ける光平行変換器Ｂの光出力部を除く（ｋ−１）個のうちの一光出力部を、光侵入検知モジュールの光出力部とすると、前記光平行変換器Ａから光平行変換器Ｂに向かう１番目の光ビーム（Ａ→Ｂ）から始めて、次に光平行変換器Ｂから光平行変換器Ａへ向かう２番目の光ビーム（Ｂ→Ａ）、という如く、光平行変換器Ｂに向かうｋ番目の光ビーム（Ａ→Ｂ）にいたるまで、各光ビームが光平行変換器Ａと光平行変換器Ｂの間を交互に伝播するように、（ｋ−１）個の光出力部のうち２個ずつが、光ファイバで接続されており、発光器が光侵入検知モジュールの光入力部と、受光器が光侵入検知モジュールの光出力部とそれぞれ光ファイバで接続されており、係る系において、発光器をＯＮにして多ビーム型光侵入検知モジュールの光ビーム内に侵入者が侵入した場合、光ビームは遮断され、受光器から侵入検知の電気信号が出力されることを特徴とする光侵入検知システム。
【請求項６】
請求項２に記載されたｋが３以上の奇数の多ビーム型光侵入検知モジュールが、ｍ台、設置され、１番目の光侵入検知モジュールからｍ台目の光検知モジュールにいたるまで、各光侵入検知モジュールのｋ個の光平行変換器Ｂの光出力部と次の光侵入検知モジュールのｋ個の光平行変換器Ａの光入力部間は、それぞれ光ファイバで接続されており、始端の光侵入知モジュールのｋ個の光平行変換器Ａの光入力部のうちの一光入力部と発光器が、光ファイバで接続されており、残された（ｋ−１）個の光入力部のうちの２個は、それぞれ光ファイバで接続されており、一方発光器と光ファイバで接続された１台目の光侵入検知モジュールの光平行変換器Ａからｍ台目の光侵入検知モジュールの光平行変換器Ｂへ向かう１番目の光ビーム（Ａ→Ｂ）から始まり、次にｍ台目の光侵入検知モジュールの光行変換器Ｂから１台目の光侵入検知モジュールの光平行変換器Ａに向かう光ビーム（Ｂ→Ａ）、という如く、受光器と接続されたｍ台目の光平行変換器Ｂに向かうｋ番目の光ビーム（Ａ→Ｂ）に至るまで、各光ビームが１台目の光平行変換器Ａとｍ台目の光平行変換器Ｂの間を交互に伝播するように、ｍ台目（終端）の光侵入検知モジュールの受光器が、接続された光平行変換器Ｂを除く（ｋ−１）個の光平行変換器Ｂの光出力部のうちの２個ずつが、それぞれ光ファイバで接続されており、係る系において、発光器をＯＮにして多ビーム型ビーム光侵入検知モジュールの光ビーム内に侵入者が侵入した場合、光ビームは遮断され、受光器から侵入検知の電気信号が出力されることを特徴とする光侵入検知システム。
【請求項７】
請求項２に記載され多ビーム型光侵入モジュールで、ｋが３以上の奇数であり、該モジュールが、ｍ（２以上の整数）台、設置されており、ｋ個の光平行変換器Ａの光入力部うちの一光入力部を、光侵入検知モジュールの光入力部とし、この光入力部が出光する光ビームを受光する該モジュールの光平行変換器Ｂの光出力部を除く（ｋ−１）個のうちの一光出力部を、光侵入検知モジュールの光出力部とすると、それぞれの光侵入検知モジュールの光出力部と次の光侵入検知モジュールの光入力部が、光ファイバで接続されており、１台目の光侵入検知モジュールの光入力部は、発光器と接続されており、ｍ台目の光侵入検知モジュールの光出力部は、受光器と光ファイバで接続されており、１台目の光侵入検知モジュールの光入力部を除く（ｋ−１）個の光入力部の２個ずつが、光ファイバで接続されており、前記１台目の光侵入検知モジュールの光入力部の光平行変換器Ａからｍ台目の光平行変換器Ｂに向かう１番目の光ビーム（Ａ→Ｂ）から始めて、次にｍ台目の光平行変換器Ｂから１台目の光平行変換器Ａへ向かう２番目の光ビーム（Ｂ→Ａ）、という如く、ｍ台目の光平行変換器Ｂに向かうｋ番目の光ビーム（Ａ→Ｂ）にいたるまで、各光ビームが１台目の光平行変換器Ａとｍ台目の光平行変換器Ｂの間を交互に伝播するように、ｍ台目の光出力部を除く（ｋ−１）個の光出力部のうち２個ずつが、光ファイバで接続されており、係る系において、発光器をＯＮにして多ビーム型光侵入検知モジュールの光ビーム内に侵入者が侵入した場合、光ビームは遮断され、受光器から侵入検知の電気信号が出力されることを特徴とする光侵入検知システム。
【請求項８】
請求項２に記載された多ビーム型光侵入検知モジュールで、ｋが２であり、該モジュールの２個の光平行変換器Ｂの光出力部間が、光ファイバで接続されており、該モジュールの一方の光平行変換器Ａの光入力部に発光器が、他の光平行変換器Ａの光入力部に受光器が、それぞれ光ファイバで接続されており、係る系において、発光器をＯＮにして、多ビーム型光侵入検知モジュールの光ビーム内に侵入者が侵入した場合、光ビームは遮断され、受光器から侵入検知の電気信号が出力されることを特徴とする光侵入検知システム。
【請求項９】
請求項２に記載され多ビーム型光侵入モジュールで、ｋが４以上の偶数であり、該モジュールのｋ個の光平行変換器Ａの光入力部うちの一光入力部と発光器が、光ファイバで接続されており、該光入力部を除く（ｋ−１）個の光入力部のうちの１光入力部が、受光器と光ファイバで接続されており、残された（ｋ−２）個の光入力部の２個ずつが、光ファイバで接続されており、１方発光器と接続されている光平行変換器Ａから光平行変換器Ｂに向かう１番目の光ビーム（Ａ→Ｂ）から始めて、次に平行変換器Ｂから光平行変換器Ａに向かう光ビーム（Ｂ→Ａ）、という如く、受光器と接続された光平行変換器Ａに向かうｋ番目の光ビーム（Ｂ→Ａ）に至るまで、各光ビームが光平行変換器Ａから光平行変換器Ｂの間を交互に伝播するように、ｋ個の光平行変換器Ｂの光出力部のうち２個ずつが、光ファイバで接続されており、係る系において、発光器をＯＮにして多ビーム型光侵入検知モジュールの光ビーム内に侵入者が侵入した場合、光ビームは遮断され、受光器から侵入検知の電気信号が出力されることを特徴とする光侵入検知システム。
【請求項１０】
請求項２に記載されたｋが偶数の多ビーム型光侵入検知モジュールで、多ビーム型光侵入検知モジュールが、ｍ（ｍは２以上の整数）台、設置されており、１番目の光侵入検知モジュールからｍ台目の光検知モジュールにいたるまで、各光侵入検知モジュールのｋ個の光平行変換器Ｂの光出力部と次の光侵入検知モジュールのｋ個の光平行変換器Ａの光入力部間は、それぞれ光ファイバで接続されており、始端の光侵入知モジュールのｋ個の光平行変換器Ａの光入力部のうちの一光入力部と発光器が、光ファイバで接続されており、該光入力部を除く（ｋ−１）個の光入力部のうちの一光入力部と受光器は、光ファイバで接続されており、残された（ｋ−２）個の光入力部のうちの２個ずつが、それぞれ光ファイバで接続されており、一方発光器と光ファイバで接続された１台目の光侵入検知モジュールの光平行変換器Ａからｍ台目の光侵入検知モジュールの光平行変換器Ｂへ向かう１番目の光ビーム（Ａ→Ｂ）から始まり、次にｍ台目の光侵入検知モジュールの光行変換器Ｂから１台目の光侵入検知モジュールの光平行変換器Ａに向かう光ビーム（Ｂ→Ａ）、という如く、受光器と接続された光平行変換器Ａに向かうｋ番目の光ビーム（Ｂ→Ａ）に至るまで、各光ビームが１台目の光平行変換器Ａとｍ台目の光平行変換器Ｂの間を交互に伝播するように、ｍ台目（終端）の光侵入検知モジュールのｋ個の光平行変換器Ｂの光出力部のうち２個ずつが、それぞれ光ファイバで接続されており、係る系において、発光器をＯＮにして多ビーム型ビーム光侵入検知モジュールの光ビーム内に侵入者が侵入した場合、光ビームは遮断され、受光器から侵入検知の電気信号が出力されることを特徴とする光侵入検知システム。
【請求項１１】
請求項２に記載の多ビーム型光検知モジュールで、ｋ個（ｋは整数）の光平行変換器Ａの光入力部と発光器間が光ファイバで接続されており、一方ｋ個の光平行変換器Ｂの光出力部と受光器が、光ファイバで接続されており、係る系において、発光器をＯＮにしていずれかの多ビーム型光侵入検知モジュールの光ビーム内に侵入者が侵入した場合、一部またはすべての光ビームは遮断され、受光器から侵入検知の電気信号が出力されることを特徴とする光侵入検知システム。
【請求項１２】
請求項２に記載のｋが２以上の整数の多ビーム型光侵入検知モジュールが、ｍ（ｍは２以上の整数）台、設置されており、１台目の多ビーム型光侵入検知モジュールからｍ台目の多ビーム型光侵入検知モジュールにいたるまで、各多ビーム型光検知モジュールの各光平行変換器Ｂの光出力部と次の多ビーム型光検知モジュールの各光平行変換器Ａの光入力部が、光ファイバで接続されており、一台目の光検知モジュールの光平行変換器Ａの光入力部と発光器が、それぞれ光ファイバで接続されており、ｍ台目の光検知モジュールの光平行変換器Ｂの光出力部と受光器が、それぞれ光ファイバで接続されており、係る系において発光器をＯＮにしていずれかの多ビーム型光侵入検知モジュールの光ビーム内に侵入者が侵入した場合、一部またはすべての光ビームは遮断され、受光器から侵入検知の電気信号が出力されることを特徴とする光侵入検知システム。
【発明の詳細な説明】
【技術分野】
【０００１】
光ビームの遮断を利用して、侵入者あるいは侵入物を検知する光侵入検知モジュールと当該モジュールを用いて侵入者あるいは侵入物を検知するシステムである。
【背景技術】
【０００２】
図１に示すように、従来、発光器（電気光変換器）２を浸入検知空間に設置し、該発光器から浸入検知空間に放出された光ビーム１を、検知現場に設置された受光器（光電気変換機）３で、受光し、電気信号に変換し、そのＯＮ／ＯＦＦで光の遮断を検知していた。区間を延長したい場合は、図１に示すように中継増幅器を使用する場合もある。特許文献１を参照
【０００３】
本発明の光検知モジュールを構成する基本部品として光ファイバ平行変換器がある。従来、図２に示すように、光フアイバとレンズで構成されており、光ファイバを伝達する光をレンズで平行光ビームに変換する光ファイバ平行変換器８と平行光ビームを受光し、光ファイバに集光し導光する光ファイバ平行変換器９で構成されており、対で光ファイバコリメータという。この１対の光ファイバ平行変換器の間にフィルタ、ファラディ回転素子，減衰器等の光機能素子を配置して、光ビームの通過を制御することにより、光フィルタ、光アイソレータ、光減衰器等の基本光部品を形成している。機構としては光ファイバ平行変換器８、平行変換器９と光ビーム部で構成され、３者を鞘（金属筒）１８で覆われている。また、光ファイバ平行変換器として、図示のようにファイバとレンズで構成する場合と、ファイバ自身の先端を加工する先球ファイバ等があり、光ファイバコリメータの長さは、通常数ｃｍ程度であり、小型化を目指している。非特許文献１を参照。
【０００４】
【特許文献１】特開６−６３１０号公報
【非特許文献１】「光情報産業と先端技術」工学図書株式会社  １９９７
【発明の開示】
【発明が解決しようとする課題】
【０００５】
図１に示すように、従来、公知の遮断検知システムは、レーザー等の発光器２を検知現場に設置し、その発光器２から遮断検知空間に放出された光ビーム１を、受光器３で受光し、電気信号に変換して、遮蔽検知区間の光ビーム１の遮断有無を電気信号の有無で検知していた。係るシステムでは、電源と回路等を有するアクティブ機器である発光器２や受光器３を露天の現場に設置することが多く、電源、場所、防水等の設置費用、および発光器と受光器の「軸あわせ作業」に時間を要していた。これらの作業は天候や交通規制等々の外部環境の制約を大きく受け、費用も増大していた。
また、現場が曲線の場合、光ビームは直進するため、発光器２と受光器３を曲がりに沿って、それぞれ個々に設置する必要があり、曲がりの数に比例して、現場設置、現場光軸あわせ作業が増大し、費用も増加した。
【課題を解決するための手段】
【０００６】
解決手段の第一は、図３（Ａ）に示すように基幹支持具１０から、一体的に立ち上げを形成する、少なくとも１対の立ち上げ支持具が、間隔をあけて備えられ、片方の立ち上げ支持具Ａ１１にファイバ６とレンズ７からなる１個の光ファイバ平行変換器Ａ８が、他方の立ち上げ支持具Ｂ１２に光ファイバ平行変換Ｂ９が１個設置され、光平行変換器Ａ８の光ビーム１の出光部と光平行変換器Ｂ９の受光部が、光ビームを送受するように配置されていることを特徴とする光侵入検知モジュールである。
第二は、図３（Ｂ）に示すように該モジュールの光入力部１３と発光器２の間、該モジュール光出力部１４と受光器３の間は、光ファイバで接続されている。係る系において、発光器２をＯＮにしておき、該モジュールに侵入者が侵入した場合光ビーム１が遮断され、受光器の電気出力がＯＦＦとなり侵入者の有無を検知することを特徴とする光侵入検知システムである。ただし上記のシステムで、光ビームの遮断時間が短い場合、または光ビームの遮断が部分的になされた場合、受光器の電気出力はパルス信号や矩形信号として検知される。
【発明の効果】
【０００７】
本発明の「光侵入検知モジュール」の効果として
（１）従来は図１に示すように、浸入検知現場に発光器と受光器を設置する必要があった。本発明の光侵入モジュールは検知現場と離れた工場等で組み立て、現場に設置できる。
（２）上記の理由から現場での光軸あわせ作業がなくなり、天候、道路規制等の外部環境の影響が軽減される。
【０００８】
本発明の「光侵入検知システム」の効果として
（１）従来システムに比較して距離のある侵入検知空間の場合、本システムは複数個の光侵入検知モジュールが必要であり、短所であるが、侵入検知現場での光軸あわせ作業が皆無のため、遮断検知システムとしては短所を補い効果が大きい。
（２）発光器・受光器を直接浸入検知空間に設置する必要がないため、場所の制約が大幅に軽減できる。従来システムでは、発光器・受光器はアクティビブ素子であるため環境的には良好な場所に、機械的には強固に設置する必要があり、電源、所有権等の制約条件が大である。本発明システムにより従来システムの短所は解消される。
（３）従来方式は曲り空間での遮断検知の場合、光ビームの直進性から、曲り部を直線で近似する必要があり、その都度、現場に発光器と受光器を設置することになり、設置費用、光軸あわせ費用等の建設費用が膨大になる。本発明により解消される。
【０００９】
本発明の多ビーム型「光侵入検知モジュール」の効果として
（１）単ビームから複数ビームにすることにより、浸入者または障害物を面的にとらえることができるので、本発明の単ビーム型光検知モジュールに比較して検知精度が上がる。従来システムとの比較では、多ビームの数だけ発光器、受光器を現場設置する必要があり、単ビームを複数ビームにすることは前述した現場調整、現場設置のため、価格、作業の増大は比例的でなく上がり、ディメリットは大である。
（２）図９に示した本発明の方式は、各ビームの特定が出来るメリットを有し、従来方式と発光器受光器は同じであるが、従来方式は、依然として現場布設、調整問題が解消されない。ただし、図９において、複数の発光器・受光器の場合を示したが、その代替方式として、単一発光器・受光器でかつ光ファイバ多分枝を併用すると複数の発光器・受光器は必要としない。
【発明を実施するための最良の形態】
【００１０】
解決手段の第一は、図３（Ａ）に示すように、基幹支持具から、一体的に立ち上げを形成する、少なくとも１対の立ち上げ支持具が間隔をあけて備えられ、片方の立ち上げ支持具Ａに一個の光ファイバ平行変換器Ａを、他方の立ち上げ支持具Ｂに光ファイバ平行変換器Ｂが一個設置され、光ファイバ平行変換器Ａの光ビーム出光部と光ファイバ平行変換器Ｂの受光部が光ビームを送受するように配置されていることを特徴とする単ビーム型光侵入検知モジュールである。また、該光入力部と光出力部は光コネクタ、アダプタ等で光ファイバ平行変換器の光ファイバと接続される場合と光ファイバ平行変換器の光ファイバと引き出し用光ファイバを直接融着接続する方法等がある。図３Ａは一対の場合が説明されているが、複数対にしても良い。また各光平行変換器、支持具等が防水構造も含まれる。
解決手段の第２は、図３（Ｂ）に示すように上記光侵入検知モジュールの光ファイバ平行変換器Ａの光入力部は発光器と光ファイバで接続されている。一方光平行変換器Ｂの光出力部と受光器が光ファイバで接続されている。係る系において、発光器２をＯＮにしておき、該モジュールに侵入者が侵入した場合光ビーム１が遮断され、受光器から侵入検知の電気信号が出力されることを特徴とする光侵入検知システム。
なお侵入検知区間を延長したい場合は該モジュールを追加することにより解決される。更に検知区間を延長したい場合は従来のように中継増幅器を付加することにより解決される。
【００１１】
（００１０）に記載された単ビーム型光侵入検知モジュールの変形であるｋが３の場合の断面図を図４に示す。同図から立ち上げ支持具Ａ１１には光ファイバ平行変換器Ａ８に３個を配置し、立ち上げ支持具Ｂ１２には、光ファイバ平行変換器Ｂ９を３個配置し、相対面する光平行変換器Ａ８と光平行変換器Ｂ９が対になるように３対組み合わせる。各対を調心後、固定したことを特徴とする３ビーム型の「光侵入検知モジュール」１６である。
【００１２】
（００１１）に記載され多ビーム型検知モジュールにおいて、ｋが３の場合、図５に示すように、発光器と接続された光平行変換器の入力部を多ビーム型光侵入検知モジュールの光入力部、受光器と接続された光平行変換器の出力部を多ビーム型光侵入検知モジュールの光出力部と呼称する。
３個の光平行変換器Ａの光入力部と３個の光平行変換器Ｂの光出力部を有する多ビーム型光侵入検知モジュールにおいて、３個の光入力部のうち一光入力部（本例では１番光入力部）が発光器と光ファイバで接続されている。残りの２個の光入力部間を光ファイバで接続されている（本例では２番光入力部と３番光入力部）。一方、発光器と光ファイバで接続されている光ファイバ平衡変換器Ａから光ファイバ平衡変換気Ｂに向かう光ビーム（Ａ→Ｂ）の光出力部（１番光出力部）を除く２個の光出力部と受光器は光ファイバで接続されている。発光器と光ファイバで接続されている光ファイバ平衡変換器Ａから光ファイバ平衡変換気Ｂに向かう光ビーム（Ａ→Ｂ）、２番目の光平行変換器Ｂから光平行変換器Ａに向かう光ビーム（Ｂ→Ａ）、３番目の光ビーム（Ａ→Ｂ）と光平行変換器Ａと光平行変換器Ｂの間を交互にしかもすべての光ビームを通るように、受光器と接続された出力部を除く２個の出力部（本例では１番光出力部と２番光出力部）を光ファイバで接続されている。係る系において、発光器をＯＮにして、多ビーム型光侵入検知モジュールの光ビーム内に侵入者が侵入した場合、光ビームは遮断され、受光器から侵入検知の電気信号が出力されることを特徴とする光侵入検知システム。
【００１３】
（００１１）と（００１２）に記載されたｋが３の場合多ビーム型光検知モジュール（以下３ビーム型光検知モジュールという）が、ｍ台（ｍは２以上の整数）直列に設置された光侵入検知システムについて、ｍが３の場合について図６で説明する。図６において、始端の３ビーム型光ファイバ検知モジュールの光出力部（本例では１台目の光侵入検知のモジュールの３番目の光出力部）と次の３ビーム型光ファイバ検知モジュールの光入力部（本例では２台目の光侵入検知のモジュールの１番目の光入力部）を光ファイバで接続されている。２台目の３ビーム型光ファイバ検知モジュールの光出力部（本例では３番目の光出力部）と最終の３ビーム型光ファイバ検知モジュールの光入力部（本例では１番目の光入力部）を光ファイバで接続されている。発光器２と始端の３ビーム型光検知モジュールの光入力部（本例では１番目の光入力部）間と終端の３ビーム型光検知モジュールの光出力部（本例では３番目の光出力部）と受光器間はそれぞれ光ファイバで接続されている。係る系において、発光器をＯＮにして、３台のビーム光検知モジュールの光ビーム内侵入者が入ると光ビームは遮断され、受光器から侵入検知の電気信号が出力されることを特徴とする光侵入検知システム。
【００１４】
（００１３）に記載され多ビーム型光侵入モジュールにおいて、ｋが偶数の場合についての光ファイバ検知システムについて説明する。
図７に示すように、ｋが４の偶数の場合、該モジュールの４個の光入力部のうちの一光入力部（本例では１番目の光入力部）と発光器は光ファイバで接続されている。この光入力部を該モジュールの光入力部と呼称する。一方、該モジュールの光入力部を除く３個の光入力部うちの一光入力部（本例では４番目の光入力部）と受光器は光ファイバで接続されている。この端子を該モジュールの光出力部と呼称する。残された２個の光入力部（本例では２番目、３番目光入力部）間を光ファイバで接続されている。一方、（００１２）に記載したように、発光器が接続されている光入力部が形成する１番目の光ビーム（Ａ→Ｂ）、２番目の光ビーム（Ｂ→Ａ）、３番目の光ビーム（Ａ→Ｂ）、４番目の光ビーム（Ｂ→Ａ）と交互にしかもすべての光ビームを通るように、４個の光出力部から、２個ずつが対で選び（本例では１番と２番光出力部と３番と４番光出力部）、それらの光出力部間は光ファイバで接続されている。係る系において、発光器をＯＮにして多ビーム型光侵入検知モジュールの光ビーム内に侵入者が侵入した場合、光ビームは遮断され、受光器から侵入検知の電気信号が出力されることを特徴とする光侵入検知システム。
【００１５】
（００１４）に記載された多ビーム型光検知モジュールにおいて、ｋが偶数の多ビーム型光検知モジュールが、ｍ台（ｍは２以上の整数）、設置された例を示す。
図８に示すように、ｋが４、ｍが３の場合について、１台目の４ビーム型光検知モジュールから３台目の４ビーム光検知モジュールにいたるまで、各光検知モジュールの光出力部と次の光検知モジュールの光入力部間は、それぞれ光ファイバで接続されている。始端の光検知モジュールの４個の光入力部のうちの一光入力部（本例では１番目の光入力部）と発光器を光ファイバで接続されている。一方、この該モジュールの光入力部を除く３個の光入力部うちの一光入力部（本例では４番目の光入力部）と受光器は光ファイバで接続されている。残された２個の光入力部間を光ファイバで接続されている。一方、（００１２）に記載したように、発光器が接続されている１台目の光侵入検知モジュールの光入力部と３台目の光侵入検知モジュールの出力部が形成する１番目の光ビーム（Ａ→Ｂ）、３台目の光侵入検知モジュールの出力部と１台目の光侵入検知モズールの光入力部が形成する２番目の光ビーム（Ｂ→Ａ）、以下同様に、受光器が接続されている１台目の光入力部と３台目の光出力部が形成する４番目の光ビーム（Ｂ→Ａ）と光平行変換器Ａと光平行変換器Ｂの間を交互にしかもすべての光ビームを通るように、ｍ台目の光侵入検知モジュールの光出力部を２個ずつ（本例では１番と２番光出力部と３番と４番光出力部）が、光ファイバで接続されている。係る系において、発光器をＯＮにして多ビーム型ビーム光侵入検知モジュールの光ビーム内に侵入者が侵入した場合、光ビームは遮断され、受光器から侵入検知の電気信号が出力されることを特徴とする光侵入検知システム。
【００１６】
（００１０）、（００１１）に記載のｋビーム型（ｋは整数）光検知モジュールが、ｍ台（ｍは整数）、設置されしかもｋ台の発光器、ｋ台の受光器が設置された場合について、光侵入検知システム例を示す。
図９に示すように、ｋが４、ｍが３の場合、始端の４ビーム型光検知モジュールの光出力部と２台目の該光検知モジュールの光入力部はそれぞれ光ファイバで接続されており、２台目と３台目の該光検知モジュールの光出力部と入力部間はそれぞれ光ファイバで接続されている。始端の各光入力部と４台の発光器は光ファイバでそれぞれ接続さえており、終端の光検知モジュールの光出力部と４台の受光器はそれぞれ光ファイバで接続されている。係る系において、４台の発光器をＯＮにしていずれかの多ビーム型光侵入検知モジュールの光ビーム内に侵入者が侵入した場合、一部またはすべての光ビームは遮断され、受光器から侵入検知の電気信号が出力されることを特徴とする光侵入検知システム。なお上記に記載した方式は発光器がｋ台、受光器がｋ台の場合であるが、代替方式として、１台の発光器を光ファイバｋ分岐器で分配し、１台の受光器を光ファイバｋ分岐器で集光する方式も本発明に含まれる。
【実施例】
【００１７】
図１０に実施例を示す。長さ（Ｌ）が０．５ｍ、立ち上げ高さ（Ｈ）が０．１ｍの光侵入モジュール１６を３台、直列に適当に設置し、これらを２本の０．１ｍの光コード１５でそれぞれ接続した。１．３ミクロンの光発光器２と光受光器３をセットし、それぞれ１ｍの光コード１５で１台目の光侵入検知モジュールの光入力部と３台目の光侵入検知モジュールの光出力部に接続した。２台目の光侵入検知モジュールに縦横０．２ｍの侵入物１９を置いて検証した。その結果、侵入物を置いた場合と取り除いた場合の光出力レベル差を測定した結果、測定限界５０ｄｂ以上であった。同図からシステムが正常に動作することが確認された。
【産業上の利用可能性】
【００１８】
本発明の光侵入検知モジュールと検知システムは、運輸業の列車軌道への浸入検知や、建設業の回転ドアや自動開閉シャッター等の安全装置、自動車産業お自動車のフェンダ等への装着による安全装置等多方面に利用の可能性がある。
【図面の簡単な説明】
【００１９】
【図１】従来の光侵入検知システムの説明図である。
【図２】従来の光平行変換器の使用例を示す断面図である。
【図３】本発明光侵入検知モジュールの構造を示す断面図と該モジュールを使用した光浸入検知システムの説明図である。
【図４】本発明の多ビーム型光侵入検知モジュールの構造を示す断面図である。
【図５】本発明の奇数ビーム型光侵入検知モジュールを使用した光浸入検知システムの説明図である。
【図６】本発明の奇数ビーム型光侵入検知モジュールを複数台使用した光浸入検知システムの説明図である。
【図７】本発明の偶数段ビーム光侵入検知モジュールヲ使用した光浸入検知システム説明図である。
【図８】本発明の偶数段ビーム光侵入検知モジュールを複数台使用した光浸入検知システムの説明図である。
【図９】本発明の多ビーム型光侵入検知モジュールを複数台と複数発光器・受光器を使用した光浸入検知システムの説明図である。
【図１０】本発明の３台の光侵入検知モジュールを使用した光浸入検知システムの動作を検証するための実施例である。
【符号の説明】
【００２０】
１    光ビーム
２    発光器
３    受光器
４    中継増幅器
５    メタルコード
６    光ファイバ
７    レンズ
８    光ファイバ平行変換器Ａ（本文では光平行変換器Ａと略称）
９    光ファイバ平行変換器Ｂ（本文では光平行変換器Ｂと略称）
１０  基幹支持具
１１  立ち上げ支持具Ａ
１２  立ち上げ支持具Ｂ
１３  光入力部
１４  光出力部
１５  光コード（光ファイバ）
１６  光浸入検知モジュール
１７  多ビーム型光侵入検知モジュール
１８  鞘
１９  侵入者または侵入物
【図１】
2006350727.tif 000003
【図２】
2006350727.tif 000004
【図３】
2006350727.tif 000005
【図４】
2006350727.tif 000006
【図５】
2006350727.tif 000007
【図６】
2006350727.tif 000008
【図７】
2006350727.tif 000009
【図８】
2006350727.tif 000010
【図９】
2006350727.tif 000011
【図１０】
2006350727.tif 000012